(57)【要約】      （修正有）【課題】配線用多孔板に容易且つ速やかに縮回／伸出可能なワイヤハーネスの配線に用いる支持ロッド及び配線構造を提供する。【解決手段】ワイヤハーネスの配線に用いる支持ロッド１００は、両端の間に磁性体１４が内蔵された溝１３が開設されたロッド本体１と、本体２１と金属留め具２２とを有する位置決めユニット２とを含む。本体は、軸方向の貫通孔２１１と前記貫通孔に交差する挿通溝とが開設され、挿通溝にスロットが設けられ、金属留め具が挿通溝内に可動に挿着させることができる。金属留め具は、孔２２１が設けられ、ロッド本体が本体の貫通孔及び金属留め具の孔に可動に挿通している。磁性体は、金属留め具を変位するように磁気吸着しロッド本体の溝内に係止して位置決めさせる。金属留め具は、挿通溝のスロットの外に突出しているため、人の手での押圧に便利である。【選択図】図２
0003185254.tif 000002
【実用新案登録請求の範囲】
【請求項１】
両端の間の一方側に磁性体が内蔵された溝が開設されたロッド本体と、
本体と金属留め具とを有し、前記本体に軸方向の貫通孔と前記貫通孔に交差する挿通溝とが開設され、前記挿通溝にスロットが設けられ、前記金属留め具が前記挿通溝内に可動に挿着しかつ当該貫通孔に対応する孔が設けられ、前記ロッド本体が前記本体の該貫通孔及び前記金属留め具の孔に可動に挿通し、前記挿通溝の前記スロットが前記ロッド本体の前記一方側に対応する他方側に位置され、前記ロッド本体の前記磁性体は、前記金属留め具を変位するように磁気吸着し前記ロッド本体の溝内に係止して位置決めさせ、前記金属留め具は、前記挿通溝の前記スロットに突出されている位置決めユニットとを含む、
ワイヤハーネスの配線に用いる支持ロッド。
【請求項２】
前記ロッド本体の両端のうち一端にプラケット部が設けられていることを特徴とする請求項１記載のワイヤハーネスの配線に用いる支持ロッド。
【請求項３】
前記ロッド本体の前記磁性体が前記金属留め具の前記孔の内縁を磁気吸着することを特徴とする請求項１記載のワイヤハーネスの配線に用いる支持ロッド。
【請求項４】
前記位置決めユニットの前記金属留め具は、Ｏリングであることを特徴とする請求項１記載のワイヤハーネスの配線に用いる支持ロッド。
【請求項５】
複数の挿通孔が開設された配線用多孔板と、
両端の間の一方側に磁性体が内蔵された溝が開設されたロッド本体と、
本体と金属留め具とを有し、前記本体に軸方向の貫通孔と前記貫通孔に交差する挿通溝とが開設され、前記挿通溝にスロットが設けられ、前記金属留め具が前記挿通溝内に可動に挿着しかつ当該貫通孔に対応する孔が設けられ、前記ロッド本体が前記本体の該貫通孔及び前記金属留め具の孔に可動に挿通し、前記挿通溝の前記スロットが前記ロッド本体の前記一方側に対応する他方側に位置され、前記ロッド本体の前記磁性体は、前記金属留め具を変位するように磁気吸着し前記ロッド本体の溝内に係止して位置決めさせ、前記金属留め具は、前記挿通溝の前記スロットに突出されている位置決めユニットとを備える少なくとも一本の支持ロッドとを含み、
前記少なくとも一本の支持ロッドは、前記配線用多孔板の前記挿通孔に可動に挿着し、前記少なくとも一本の支持ロッドの前記位置決めユニットが前記配線用多孔板に止められている、
配線構造。
【請求項６】
前記少なくとも一本の支持ロッドは、前記ロッド本体の両端のうち一端にプラケット部が設けられていることを特徴とする請求項５記載の配線構造。
【請求項７】
前記少なくとも一本の支持ロッドは、前記ロッド本体の前記磁性体が前記金属留め具の前記孔の内縁を磁気吸着することを特徴とする請求項５記載の配線構造。
【請求項８】
前記少なくとも一本の支持ロッドは、前記位置決めユニットの前記金属留め具がＯリングであることを特徴とする請求項５記載の配線構造。
【請求項９】
前記少なくとも一本の支持ロッドは、前記位置決めユニットの前記本体に少なくとも一つのガイドピンが突設され、前記少なくとも一つのガイドピンの位置が前記貫通孔とはそれぞれずれており、前記少なくとも一つのガイドピンが前記配線用多孔板の前記挿通孔に挿通されていることを特徴とする請求項５記載の配線構造。
【請求項１０】
発光装置をさらに含み、前記配線用多孔板の前記挿通孔は貫通孔であり、前記発光装置が前記配線用多孔板の下方に配置され、前記挿通孔に光を照射することを特徴とする請求項５記載の配線構造。
【考案の詳細な説明】
【技術分野】
【０００１】
本考案は、ワイヤハーネスの配線に用いる支持ロッド及び配線構造に係り、特に、配線用多孔板に容易且つ速やかに縮回／伸出可能なワイヤハーネスの配線に用いる支持ロッド及び配線構造に関する。
【背景技術】
【０００２】
大型設備、例えば車両などには、いずれも、複数の電子装置（例えば、スピードセンサまたは温度センサなど）と複数の対応する電子装置（例えば、ディスプレイなど）が設けられているため、これらの装置の間に長さの短くないワイヤハーネスが電気的に接続されなければならない。これらのワイヤハーネスは、一体化して束ねた導線を複数本含む。
【０００３】
所望のワイヤハーネスを組み立てるために、配線用板と当該配線用板に挿通するための複数の支持ロッドとが設計されており、前記ワイヤハーネスは複数の支持ロッドに架設されることにより配線を行う。配線用板は、複数の挿通孔が全体に亘って並べられた二層（上層および下層を含む）の金属板であり、その上にワイヤハーネスに対応する配線図が貼り付けられ、支持ロッドは、配線図上のマークに基づいて配線用板の対応する挿通孔に挿着されている。
【０００４】
各挿通孔は、配線用板の上層に支持ロッドが通るように用いられる大孔であり、下層は支持ロッドが通ることができない小孔であり（支持ロッドの下端が円錐状であるため）、言い換えれば、複数の支持ロッドおよび支持ロッドの上端に設けられたプラケット部で、配線用板上に前記ワイヤハーネスを架設することができるが、ワイヤハーネスに対して粘着テープを巻き取る動作を行おうとする場合には、支持ロッドを配線用板の下方に縮回することができないため、配線作業員の手が支持ロッドに引っ掛かり面倒や不便が生じられることが、以前から指摘されてきた。
【０００５】
そのため、配線用多孔板に容易且つ速やかに縮回／伸出可能なワイヤハーネスの配線に用いる支持ロッド及び配線構造を如何に設計できるかが、本考案者らが解決しようとする大きな課題である。
【考案の概要】
【考案が解決しようとする課題】
【０００６】
本考案は、ロッド本体の溝内に磁性体が設けられるとともに、位置決めユニットに磁性体が吸着可能な金属留め具が設けられることにより、支持ロッドが配線用多孔板に容易且つ速やかに縮回／伸出可能であり、配線作業員が配線や粘着テープを巻き取る動作をスムーズに行える、ワイヤハーネスの配線に用いる支持ロッド及び配線構造を提供することを主な目的とする。
【課題を解決するための手段】
【０００７】
前記目的を達成するために、本考案の一態様のワイヤハーネスの配線に用いる支持ロッドは、両端の間の一方側に磁性体が内蔵された溝が開設されたロッド本体と、本体と金属留め具とを有し、本体に軸方向の貫通孔と前記貫通孔に交差する挿通溝とが開設され、前記挿通溝にスロットが設けられ、前記金属留め具が前記挿通溝内に可動に挿着しかつ当該貫通孔に対応する孔が設けられ、前記ロッド本体が前記本体の該貫通孔及び前記金属留め具の孔に可動に挿通し、前記挿通溝の前記スロットは前記ロッド本体の前記一方側に対応する他方側に位置され、前記ロッド本体の前記磁性体は、前記金属留め具を変位するように磁気吸着し前記ロッド本体の溝内に係止して位置決めさせ、前記金属留め具は、前記挿通溝の前記スロットに突出されている位置決めユニットとを含む。
【０００８】
本考案の他の態様の配線構造は、配線用多孔板と少なくとも一本の支持ロッドとを含む。前記配線用多孔板には複数の挿通孔が開設され、さらに、前記配線用多孔板において複数の挿通孔がそれぞれ一定距離（４つの垂直方向を含む）を空けて順次セットされ、各挿通孔が所定の厚みを有し、当該支持ロッドを挿着する時に、完全に直立する効果が得られる。
【０００９】
前記少なくとも一本の支持ロッドは、両端の間の一方側に磁性体が内蔵された溝が開設されたロッド本体と、本体と金属留め具とを有し、本体に軸方向の貫通孔と前記貫通孔に交差する挿通溝とが開設され、前記挿通溝にスロットが設けられ、前記金属留め具が前記挿通溝内に可動に挿着しかつ当該貫通孔に対応する孔が設けられ、前記ロッド本体が前記本体の該貫通孔及び前記金属留め具の孔に挿通し、前記挿通溝の前記スロットは前記ロッド本体の前記一方側に対応する他方側に位置され、前記ロッド本体の前記磁性体は、前記金属留め具を変位するように磁気吸着し前記ロッド本体の溝内に係止して位置決めさせ、前記金属留め具は、前記挿通溝の前記スロットに突出されている。ここで、少なくとも一本の支持ロッドは、前記配線用多孔板の前記挿通孔に可動に挿着し、少なくとも一本の支持ロッドの前記位置決めユニットが前記配線用多孔板に止められている。
【００１０】
よって、支持ロッドが配線用多孔板に容易且つ速やかに縮回／伸出可能になり、配線作業員が配線やテープを巻き取る動作をスムーズに行える。
【００１１】
本考案の特徴、特点及び技術的内容をより深く理解するために、以下の本考案に係る詳細説明及び添付図面を参照するが、前記添付図面は参考や説明のために供されるにすぎず、本考案を限定するものではない。
【図面の簡単な説明】
【００１２】
【図１】本考案に係る配線用多孔板を示す斜視図である（配線図を省略する）。
【図２】本考案に係る支持ロッドを示す分解斜視図である。
【図３】図２による本考案を示す組立斜視図である。
【図４】本考案における組み立てられた支持ロッドを示す断面図及び一部拡大図である。
【図５】図４による本考案の金属留め具を押圧した様子を示す断面図である。
【図６】本考案における配線用多孔板と発光装置との組み合わせに適用する模式図である。
【考案を実施するための形態】
【００１３】
本考案は、ワイヤハーネスの配線に用いる支持ロッド及び配線構造を提供し、所望のワイヤハーネス（図示せず）を組み立てる場合には、ワイヤハーネスに対して粘着テープを巻き取る動作を行おうとする時に、配線作業員の手が支持ロッドに引っ掛かかることがないように、ワイヤハーネスを架設するために用いられる。
【００１４】
図１〜図４に示すように、本考案の配線構造は、配線用多孔板３００と少なくとも一本の支持ロッド１００とを含む。配線用多孔板３００には複数の挿通孔３が開設され、図１に示す配線用多孔板３００は、実際に配線する時に、配線図上のマークに基づいて複数の支持ロッド１００を対応する挿通孔３に挿着して位置決めさせるために、配線図（図１では図略されている）を貼り付けなれればならない。
また、配線用多孔板３００に複数の挿通孔３がそれぞれ一定距離（４つの垂直方向を含む）をおいて順次設置され、各挿通孔３が所定の厚みを有し、支持ロッド１００を挿入すると、完全に直立する効果が得られる。
【００１５】
支持ロッド１００は、ロッド本体１と位置決めユニット２とを含む。ロッド本体１は一方側１１と他方側１２とを有し、ロッド本体１の両端間の一方側１１に溝１３が開設され、溝１３内に磁石であってよい磁性体１４が設けられている。
また、本考案では、ロッド本体１の少なくとも一方側には、ロッド本体１の上端からロッド本体１の下端に近接する箇所まで段差状の断面１６を有し、段差状の断面１６は、ロッド本体１が配線用多孔板３００の挿通孔３に挿通されたとき、挿通孔３内におけるロッド本体１の移動を止めるように機能している。また、ロッド本体１を配線用多孔板３００の挿通孔３から引き出す場合には、段差状の断面１６により位置決めユニット２を一併に引き出すことができる。
【００１６】
位置決めユニット２は、本体２１と金属留め具２２とを有し、本体２１は、磁性体１４に磁気吸着可能でない材質で作製され、軸方向の貫通孔２１１と貫通孔２１１に交差する挿通溝２１２とが開設され、図４に示すように、挿通溝２１２にはスロット２１２Ａを備え、金属留め具２２を挿通溝２１２内に可動に挿着させることができる。
【００１７】
金属留め具２２は、磁性体１４に磁気吸着可能な材質で作製され、挿通溝２１２内に可動に挿着されかつ貫通孔２１１に対応する孔２２１が設けられ、ロッド本体１が本体２１の貫通孔２１１及び金属留め具２２の孔２２１に可動に挿通している。
図４に示すように、ロッド本体１の一方側１１に溝１３が開設され、挿通溝２１２のスロット２１２Ａはロッド本体１の他方側１２に位置され、ロッド本体１の一方側１１と他方側１２とが互いに対応している。位置決めユニット２が重力によりロッド本体１の上端から下端に摺動し、かつ金属留め具２２が磁性体１４に対応すると、磁性体１４が金属留め具２２の孔２２１の内縁に位置されているため、磁性体１４は、金属留め具２２をロッド本体１の一方側１１から他方側１２に移動させて磁性体１４に磁気吸着されるまで磁気吸着する。
この時、金属留め具２２の一か所（図４に示す金属留め具２２の左側であって、ロッド本体１の一方側１１と同一側）がロッド本体１の溝１３内に入って係合し位置決めされ、金属留め具２２のもう一か所（図４に示す金属留め具２２の右側であって、ロッド本体１の他方側１２と同一側）が挿通溝２１２のスロット２１２Ａの外に突出されているため、配線作業員の手で容易に押圧することができる。また、本考案では、位置決めユニット２の金属留め具２２は、Ｏリングであってよい。
【００１８】
そのため、支持ロッド１００が配線用多孔板３００の挿通孔３に可動に挿通された場合には、支持ロッド１００は、位置決めユニット２によって配線用多孔板３００の表面に止められて位置決めされ、言い換えれば、支持ロッド１００は、位置決めユニット２により配線用多孔板３００に位置決めされている。
【００１９】
ここで、支持ロッド１００において、図４に示すように、位置決めユニット２の本体２１は、さらに少なくとも一つのガイドピン２１３が下方向に突設されている。本考案では、位置決めユニット２の本体２１の下方に設けられたガイドピン２１３は、２つのガイドピン２１３であり、一方のガイドピン２１３の長さが他方のガイドピン２１３よりも長い。
２つのガイドピン２１３の位置が貫通孔２１１とはそれぞれずれており、言い換えれば、ロッド本体１が配線用多孔板３００のうち一つの挿通孔３に挿通されると、２つのガイドピン２１３が当該挿通孔３の隣接する他の２つの挿通孔３内に挿通されることで、位置決めユニット２を配線用多孔板３００に位置決めさせるとともに、支持ロッド１００を配線用多孔板３００に位置決めさせるようになっている。
【００２０】
また、支持ロッド１００のロッド本体１の上端にワイヤハーネス（図示せず）を架設するプラケット部１５が設けられている。本考案では、支持ロッド１００のロッド本体１の上端の側辺に孔１７及び固定部材１８がさらに設けられ、固定部材１８の一方側に締め付け孔１８１及びロック部材１８２がさらに設けられ、ロック部材１８２が締め付け孔１８１内に挿通されている。
プラケット部１５を支持ロッド１００のロッド本体１の上端に設けると、プラケット部１５の一端がロッド本体１内に設けられているため、固定部材１８のロック部材１８２がロッド本体１の上端の孔１７に位置合わせられ、ロック部材１８２を回動してロック部材１８２をプラケット部１５の一端（図に示されず）と互いに干渉してプラケット部１５を支持ロッド１００のロッド本体１に固定する。また、ロック部材１８２を逆方向に回動すれば、プラケット部１５を支持ロッド１００のロッド本体１から取り外すことができる。
【００２１】
図５に示すように、ワイヤハーネスに対して粘着テープを巻き取る動作を行おうとするとき支持ロッド１００を下方に縮回させる必要がある場合には、配線作業員は指でスロット２１２Ａの外に突出される金属留め具２２の他方側を軽く押圧すれば、金属留め具２２を磁性体１４の磁気吸着から離脱させることができると同時に、金属留め具２２の孔２２１がロッド本体１に位置合わせられるため元の係合状態が解除される。この時、ロッド本体１は、プラケット部１５が配線用多孔板３００に止められるまで、自重により自由落下する。一方、支持ロッド１００を上方に伸出しようとする場合には、プラケット部１５を掴んで上に軽く引っ張れば、金属留め具２２が磁性体１４に接し磁気吸着されて係合状態になるまで、ロッド本体１を本体２１の貫通孔２１１及び金属留め具２２の孔２２１から引き出すことができる。
【００２２】
図６に示すように、本考案の配線構造は、発光装置４００をさらに含んでよい。配線用多孔板３００のこれらの挿通孔３は貫通孔であり、発光装置４００を配線用多孔板３００の下方に配置すると、発光装置４００からの光は下から上へこれらの挿通孔３に照射し、これらの挿通孔３から光を透過させ、配線作業員が配線図（図示せず）を介して挿通孔３の的確な位置を明確に見ることができ、ロッド本体１及びガイドピン２１３の挿通に容易となる。
【００２３】
以上のように、本考案に係るワイヤハーネスの配線に用いる支持ロッド及び配線構造には、ロッド本体１の溝１３に磁性体１４を設け、位置決めユニット２に磁性体１４が磁気吸着可能な金属留め具２２を設ける。
これにより、図４に示すように、互いに磁気吸着されたとき、位置決めユニット２をロッド本体１に位置決めさせ、配線用多孔板３００（この状態における支持ロッド１００は、配線用多孔板３００から伸出されている）に縮回／伸出することができなくなり、または、外力で金属留め具２２を押圧して両方が互いに離脱させたとき（図５に示すように）、位置決めユニット２がロッド本体１に位置決めされなく配線用多孔板３００に縮回／伸出することが可能になる。
言い換えれば、配線作業員が金属留め具２２を軽く押圧すれば、ロッド本体１が自重により配線用多孔板３００の下方に自由に縮回することができ（縮回するとき、プラケット部１５に止められている）、伸出しようとする場合には、プラケット部１５を掴んで上方に軽く引っ張れば、金属留め具２２が磁性体１４に遇うと、磁気吸着により金属留め具２２を溝１３内に係合して位置決めさせ、伸出したロッド本体１が支持されている。
よって、支持ロッド１００が配線用多孔板３００に容易且つ速やかに縮回／伸出可能になり、配線作業員が配線や粘着テープを巻き取る動作をスムーズに行える。
【００２４】
前述した開示は、単に本考案の好ましい具体的な実施例に過ぎず、本考案の実用新案登録請求の範囲を限定するものではなく、いずれの本考案の明細書及び図面の内容によって実施した等価な変形も、本考案の主張範囲内に納入されるべきことは言うまでもない。
【符号の説明】
【００２５】
１        ロッド本体
２        位置決めユニット
３        挿通孔
１１      一方側
１２      他方側
１３      溝
１４      磁性体
１５      プラケット部
１６      段差状の断面
１７      孔
１８      固定部材
２１      本体
２２      金属留め具
１００    支持ロッド
１８１    締め付け孔
１８２    ロック部材
２１１    貫通孔
２１２    挿通溝
２１２Ａ  スロット
２１３    ガイドピン
２２１    孔
３００    配線用多孔板
４００    発光装置
【図１】
0003185254.tif 000003
【図２】
0003185254.tif 000004
【図３】
0003185254.tif 000005
【図４】
0003185254.tif 000006
【図５】
0003185254.tif 000007
【図６】
0003185254.tif 000008